(57)【要約】      （修正有）【課題】集水器の落し口と継手の連結が確実且つ容易にできる集水器の落し口回転カバー構造を提供する。【解決手段】集水器１の底部には落し口２が開口され、この落し口２に丸形継手部材又は角形継手部材３を選択自在に取付けるための落し口回転カバー４を備える。角形継手部材３の上端部３ａの外周部に一対の係止フック１３が突設され、係止フック１３が落し口回転カバー４に挿入されて係止される。ここで、落し口回転カバー４の外側角筒部５の内周面にリング部材が立設され、係止フック１３を係止するための引掛凹部が、リング部材の内周縁にリング部材の上面を抉って外側角筒部５の四側面の内側中央寄りに形成される。そして、外側角筒部５の各側面の内面に角形継手部材３を挿入案内するガイド片が二組突設される。【選択図】図１
2008231791.tif 000002
【特許請求の範囲】
【請求項１】
集水器の底部に開口する落し口に丸形継手部材又は角形継手部材を選択自在に取付ける落し口回転カバーを備えた集水器の落し口回転カバー構造であって、
前記落し口回転カバーは、内側円筒部とこの内側円筒部の外側に前記角形継手部材と相似断面形状をもつ外側角筒部とがそれぞれ上部を連結バーで連結されて成る二重筒構造で、
前記外側角筒部の内周面にリング部材が立設され、このリング部材の内周端部は前記内側円筒部に沿って円環状の挿入隙間を形成するとともに前記リング部材の上面を抉って前記角形継手部材用の引掛凹部が形成され、
前記角形継手部材の上端部に係止フックが突設され、前記角形継手部材の上端部を前記落し口回転カバーの下面に押付ける位置で前記係止フックが前記挿入隙間に挿入して前記引掛凹部と係合するに、前記外側角筒部の内周面に前記角形継手部材を挿入案内するガイド片が突設されることを特徴とする集水器の落し口回転カバー構造。
【請求項２】
請求項１に記載の集水器の落し口回転カバー構造であって、前記外側角筒部は断面略矩形形状で前記ガイド片は前記外側角筒部の各側面に少なくとも一組設けられることを特徴とする集水器の落し口回転カバー構造。
【発明の詳細な説明】
【技術分野】
【０００１】
本発明は、集水器の底部の落し口に丸形継手部材又は角形継手部材を選択自在に取付ける落し口回転カバーに関し、特に角形継手部材を容易に正確な取付位置に接続可能とする集水器の落し口回転カバー構造の技術に関する。
【背景技術】
【０００２】
従来、集水器の落し口と継手の連結構造は連結が確実且つ容易にできる構成が求められていた。
【０００３】
このような集水器の落し口と継手の連結構造として特許文献１の構成が知られている。特許文献１によれば、図７（ａ）に示すように、集水器５１は合成樹脂等で形成された角形で、下部に円筒状の排水筒５２を下垂し、排水筒５２の上方の外周に円環状の凹溝６０が全周に亘って形成される。この凹溝６０の下方には全周に亘って長径と短径を備えるカム部５９が設けられる。
【０００４】
カム部５９は溝６６の内周側に設けられ長円状に形成され、溝６６の外周側が規制部６５である。接続環５４は集水器５１に連続し角形に形成され排水筒５２の外周に配置される。また、接続環５４の上部に一対の突片６１が内方に向けて突設され、突片６１を凹溝６０に嵌合して突片６１を凹溝６０の底に摺接させて接続環５４が回転自在に装着される。
【０００５】
接続環５４の下部には内周に向けて突出する縁部６２が設けられ、縁部６２の内周に一対の弾性片５５が対称になるように突設される。弾性片５５に係止部５７が内方に突出するように設けられ、弾性片５５の上端を溝６６に挿入してカム部５９に当接される。そして、継手５６の上端に突出して設けられる被係止部５８が係止部５７に係止される。
【０００６】
ここで、集水器５１に継手５６を挿入して接続する場合には、図７（ｂ）に示すように、まず、接続環５４を回転させてカム部５９の長径側と弾性片５５を当接させて弾性片５５を外側に撓み変形させる。この状態で継手５６の上部を接続環５４と排水筒５２の間に挿入して係止部５７と被係止部５８を対応させる。そして、接続環５４を継手５６と一緒に回転して弾性片５５とカム部５９の短径側を対応させることにより弾性片５５を垂直に復帰させて係止部５７と被係止部５８を係止することができる。
【特許文献１】特開平２−２４３８６１号公報
【発明の開示】
【発明が解決しようとする課題】
【０００７】
ところが、上記特許文献１の構成では、集水器５１に継手５６を接続する際に、接続環５４を回転させて弾性片５５を外側に撓み変形させた状態から弾性片５５を垂直に復帰しても、集水器５１と継手５６の軸芯が一致しない場合には被係止部５８に係止部５７が乗り上げてしまって確実に係止されない場合があった。
【０００８】
そこで、本発明は、上記の事実に鑑みてなされたもので、その目的とするところは、集水器の落し口と継手の連結が確実且つ容易にできる集水器の落し口回転カバー構造を提供する。
【課題を解決するための手段】
【０００９】
請求項１の発明は、集水器の底部に開口する落し口に丸形継手部材又は角形継手部材を選択自在に取付ける落し口回転カバーを備えた集水器の落し口回転カバー構造であって、前記落し口回転カバーは、内側円筒部とこの内側円筒部の外側に前記角形継手部材と相似断面形状をもつ外側角筒部とがそれぞれ上部を連結バーで連結されて成る二重筒構造で、前記外側角筒部の内周面にリング部材が立設され、このリング部材の内周端部は前記内側円筒部に沿って円環状の挿入隙間を形成するとともに前記リング部材の上面を抉って前記角形継手部材用の引掛凹部が形成され、前記角形継手部材の上端部に係止フックが突設され、前記角形継手部材の上端部を前記落し口回転カバーの下面に押付ける位置で前記係止フックが前記挿入隙間に挿入して前記引掛凹部と係合するに、前記外側角筒部の内周面に前記角形継手部材を挿入案内するガイド片が突設されることを特徴としている。
【００１０】
請求項２の発明は、請求項１に記載の集水器の落し口回転カバー構造であって、前記外側角筒部は断面略矩形形状で前記ガイド片は前記外側角筒部の各側面に少なくとも一組設けられることを特徴としている。
【発明の効果】
【００１１】
請求項１記載の発明によれば、このリング部材の内周端部は前記内側円筒部に沿って円環状の挿入隙間を形成するとともに前記リング部材の上面を抉って前記角形継手部材用の引掛凹部が形成され、前記角形継手部材の上端部に係止フックが突設される。そして、前記角形継手部材の上端部を前記落し口回転カバーの下面に押付ける位置で前記係止フックが前記挿入隙間に挿入して前記引掛凹部と係合する際に、前記外側角筒部の内周面に前記角形継手部材を挿入案内するガイド片が突設される。
【００１２】
このため、このガイド片によって前記角形継手部材と前記外側角筒部の互いの軸芯が一致するとともに互いが軸芯回りに位相ずれすることがないので、前記角形継手部材の上端部を前記引掛凹部と係合する位置まで容易にガイドできて、前記角形継手部材の上端部と前記引掛凹部を確実に係合することができる。
【００１３】
請求項２記載の発明によれば、前記外側角筒部は断面略矩形形状で前記ガイド片は前記外側角筒部の各側面に少なくとも一組設けられるので、前記外側角筒部は前記ガイド片によって四側面が均等にガイドされるので、請求項１の効果と同様の効果が得られる。
【発明を実施するための最良の形態】
【００１４】
＜集水器の落し口回転カバー構造の構成＞  
以下に、本発明の実施形態を〜図６に基づいて説明する。図１、図２（ａ）、（ｂ）に示すように、本発明の集水器の落し口回転カバー構造は、集水器１に角形継手部材３を確実且つ容易に取付けるための落し口回転カバー４の構造である。
【００１５】
集水器１は一側面１ａを建物の壁１ｂに沿って取付けられ、エルボ管１ｃ等で一側面１ａから集水器１に集められた雨水は角形継手部材３を介して図示しない竪樋に排水される。集水器１の底部には落し口２が開口され、この落し口２に丸形継手部材又は角形継手部材を選択自在に取付けるための落し口回転カバー４を備える。
【００１６】
角形継手部材３の上端部３ａの外周部に一対の係止フック１３が突設され、係止フック１３が図１の矢印Ｐのように落し口回転カバー４に挿入されて係止される。
【００１７】
ここで、集水器１と角形継手部材３と落し口回転カバー４の外形断面形状はそれぞれ相似形で、矩形断面の四隅が角取りされて成る八角形状である。
【００１８】
落し口回転カバー４は、内側円筒部６とこの内側円筒部６の外側に角形継手部材３と相似断面形状をもつ外側角筒部５とがそれぞれ上部を連結バー９で連結されて成る二重筒構造である。外側角筒部５は四側面２２と四隅側面２３から成り、連結バー９は下面９ａが同一水平面となるように外側角筒部５の各隅側面２３に配置される。
【００１９】
外側角筒部５の内周面にリング部材７が立設され、このリング部材７の内周縁７ａと内側円筒部６との間に円環状の挿入隙間８が形成される。
【００２０】
外側角筒部５の対向する一対の隅側面２３に面するリング部材７には、挿入隙間８と連続する凹状のリブ挿通孔１０が形成される。この一対のリブ挿通孔１０は連結バー９の下方位置に一致して配置される。
【００２１】
リング部材７の内周縁７ａには、リング部材７の上面７ｂを抉って引掛凹部１１が外側角筒部５の四側面２２の内側中央寄りに形成され、このうちの一対の対向する引掛凹部１１に角形継手部材３の一対の係止フック１３が係止される。
【００２２】
そして、外側角筒部５の各側面２２の内面に角形継手部材３を挿入案内するガイド片３０が二組毎突設される。
【００２３】
図３（ａ）、（ｂ）、（ｃ）に示すように、集水器１に落し口回転カバー４を取付ける場合には、落し口２に内側円筒部６を嵌め込んで落し口回転カバー４を回転させることにより、内側円筒部６に設けられた内周面の嵌合凸部２０が落し口２の外周面の嵌合凹部２１に凹凸嵌合して取付けることができる。
【００２４】
そして、図４、図５、図６に示すように、角形継手部材３の上端部３ａを落し口回転カバー４の内側円筒部６の下面に押付けることで、角形継手部材３の一対の係止フック１３が挿入隙間８に挿入してリング部材７の引掛凹部１１に係止することができる。
【００２５】
ここで、上記、外側角筒部５に角形継手部材３を挿入案内するガイド片３０が外側角筒部５の各側面２２に二組突設され、このガイド片３０は下部に角形継手部材３を挿入容易とするため傾斜部３０ａを備え、外側角筒部５の内部方向へのガイド片３０の突出高さＳは引掛凹部１１の突出長さＳ１と同じ高さに形成される。このため、角形継手部材３の係止フック１３を引掛凹部１１の位置まで位置微調整を必要とせずに容易且つ確実にガイドできる。
【００２６】
なお、図示しない丸形継手部材の落し口回転カバー４への係止の方法は、丸形継手部材をリング部材７の挿入隙間８に挿入して回転し、丸形継手部材に備える図示しない突起リブがリング部材７の上面７ｂに乗り上がることにより係止される。
【００２７】
集水器１と角形継手部材３の材質は、軽量化や耐腐食性を考慮して硬質塩化ビニール樹脂等の合成樹脂、或いは耐腐食性金属としてステンレス、銅等が用いられる。また、金属性芯材の周囲に樹脂を被覆した構成でもよい。
【００２８】
＜集水器の落し口回転カバー構造の作用＞
外側角筒部５の内周面に角形継手部材３を挿入案内するガイド片３０が外側角筒部５の各側面に二組突設され、ガイド片３０の挿入方向への高さの略半分以上に亘って角形継手部材３を挿入容易とするため直線の傾斜部３０ａを備え、外側角筒部５からのガイド片３０の突出高さＳは引掛凹部１１の突出長さＳ１とは同じに形成される。
【００２９】
このため、角形継手部材３の係止フック１３を引掛凹部１１の位置まで容易且つ正確にガイドできるのでワンタッチで確実に係止することができる。さらに、係止された状態の角形継手部材３はガイド片３０によって四側面が保持されているので、ガタツキなく連結することができる。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
たとえば、外側角筒部の内周面に角形継手部材を挿入案内するガイド片が外側角筒部の各側面に一組突設される構成でも同様の効果が得られる。
【００３２】
ガイド片３０の下部の傾斜部３０ａは曲線で形成しても構わない。また、傾斜部３０ａはガイド片３０の高さ全域に亘って形成してもよい。
【図面の簡単な説明】
【００３３】
【図１】本発明の実施形態における、雨水用の集水器１と角形継手部材３の組付け前の状態を示す斜視図である。
【図２】本発明の実施形態における、（ａ）は図１のＡ−Ａ斜視図、（ｂ）は図１のＢ−Ｂ斜視図である。
【図３】本発明の実施形態における、（ａ）は集水器１の落し口２に落し口回転カバー４を取付ける前の状態を示す斜視図、（ｂ）は落し口２に落し口回転カバー４の取付け直前の状態を示す断面図、（ｃ）は落し口２に落し口回転カバー４を取付けた状態を示す断面図である。
【図４】本発明の実施形態における、落し口回転カバー４に角形継手部材３を装着した状態を示す一部断面斜視図である。
【図５】本発明の実施形態における、図４の“Ｃ”詳細図である。
【図６】本発明の実施形態における、外側角筒部５の各側面に突設されたガイド片３０の配置図である。
【図７】従来の集水器５１と継手５６の接続構造を示す、（ａ）は接続完了の状態を示す断面図、（ｂ）は接続するために集水器５１に継手５６を挿入した直後の状態を示す断面図である。
【符号の説明】
【００３４】
１  集水器
２  落し口
３  角形継手部材
３ａ  上端部
４  落し口回転カバー
５  外側角筒部
７  リング部材
７ａ  内周縁
７ｂ  上面
１１  引掛凹部
１３  係止フック
２２  四側面
３０  ガイド片
【図１】
2008231791.tif 000003
【図２】
2008231791.tif 000004
【図３】
2008231791.tif 000005
【図４】
2008231791.tif 000006
【図５】
2008231791.tif 000007
【図６】
2008231791.tif 000008
【図７】
2008231791.tif 000009